(57)【要約】【課題】帽子のアクセサリの着脱、前後位置移動または交換に便利であり、且つ効果的にアクセサリを固定できる装着具の提供。【解決手段】本考案の帽子のアクセサリ装着具は、ブリム箇所に固定されたスライドレール及びこれに対応してアクセサリ上に設置されたスライダーを含み、そのうち、スライダーとアクセサリ間に頚部が設けられ、スライドレールの主体はスライダーの頚部を挿入する開口部を備え、この開口部からスライドレール深くまで延伸された位置決め溝が形成され、少なくとも位置決め溝の片側の壁面上に頚部に対して嵌合作用を形成する複数の突起部が設けられ、頚部が２つの突起部の間の位置に固定され、これによりアクセサリの着脱、前後位置移動または交換を便利に行うことができ、効果的にアクセサリを固定することができると共に、アクセサリを使用しないときは、帽子の固定部材上に収納することができる完全な設計である。【選択図】図２
0003139383.tif 000002
【実用新案登録請求の範囲】
【請求項１】
帽子のアクセサリ装着具であって、アクセサリ上に設置されたスライダーと、帽子のブリム箇所に固定されたスライドレールを含み、そのうち、前記スライダーと前記アクセサリの間に頚部及びヒンジ部材が設けられ、前記スライドレールの主体が、前記スライダーの頚部を挿入するために用いる開口部と、前記開口部からスライドレールの深くまで延伸された位置決め溝を備え、且つ、少なくとも前記位置決め溝の片側の壁面上に前記頚部に対して嵌合作用を形成するための複数の突起部が設けられたことを特徴とする帽子のアクセサリ装着具。        
【請求項２】
前記スライドレールの主体両側に前記ブリムと結合される取付け部を設けたことを特徴とする請求項１に記載の帽子のアクセサリ装着具。
【請求項３】
前記アクセサリがゴーグルであることを特徴とする請求項１に記載の帽子のアクセサリ装着具。        
【請求項４】
前記アクセサリが照明器具であることを特徴とする請求項１に記載の帽子のアクセサリ装着具。
【請求項５】
前記帽子の前記スライドレールが設置された場所以外の部位に、前記アクセサリを固定するための少なくとも１つの固定部材が別途設置されたことを特徴とする請求項１に記載の帽子のアクセサリ装着具。        
【請求項６】
前記固定部材が弾性ベルトであることを特徴とする請求項５に記載の帽子のアクセサリ装着具。
【考案の詳細な説明】
【技術分野】
【０００１】
本考案は帽子のアクセサリ（例：ゴーグル、照明器具）装着具に関し、特に、アクセサリの着脱、前後位置移動、または交換が便利で、確実にアクセサリを固定し、収納することができる、帽子のアクセサリ装着具に関する。
【背景技術】
【０００２】
一般に人々が戸外活動に従事するとき、多くが帽子を使用して日焼けを防ぎ、且つ、帽子のつばまたはブリムの遮蔽作用で両目に日光が直射しないようにして正常な活動能力を維持している。このほか、実際に戸外活動を行う過程において、物体の反射光や強風によって巻き上げられる砂は完全にブリムで遮断することはできないため、多くの人が戸外活動に従事するとき、ゴーグルやサングラスを組み合わせて使用し、両目に更なる安全防護を提供している。
【０００３】
このため、帽子及びゴーグルは戸外活動に従事する際の必須防護装備の１つのとなっており、市場には多くのゴーグルを装着して使用できる帽子が出現している。例えば、台湾実用新案公告第２８８５１６号「帽子の構造」では、磁性の吸引力を利用し、同様に磁性吸着力を備えたレンズ（ゴーグル）を帽子のブリム箇所に固定し、ゴーグルを帽子に組み合わせて使用するアクセサリとしている。
【非特許文献１】台湾実用新案公告第２８８５１６号「帽子の構造」
【０００４】
しかしながら、磁性吸着の原理を利用してレンズ等のアクセサリをブリムに吸着させる構造設計は、磁性部材の位置決め作用が不足し、磁性吸着作用も信頼性が低いため、確実にレンズを調整した位置に固定することができず、さらに、使用者の動作が比較的大きいとき、レンズと帽子が離脱してしまうこともある。また、帽子をかぶって行う各種活動において、帽子に組み合わせて使用するのはゴーグル類のアクセサリのみではなく、多くのアクセサリの重量が磁性部材の吸着力を超えてしまう可能性があり、設計全体の実用性と利便性が予期されたほど理想的ではない。
【考案の開示】
【考案が解決しようとする課題】
【０００５】
これに鑑みて、本考案の目的は、帽子のアクセサリ装着具に改良を加え、アクセサリの着脱、前後位置移動または交換に便利であり、且つ効果的にアクセサリを固定できる装着具を提供することにある。  
【課題を解決するための手段】
【０００６】
本考案の実施は、全体の装着構造がブリム箇所に固定されたスライドレール及びこれに対応してアクセサリ上に設置されたスライダーを含む。
【０００７】
そのうち、スライダーとアクセサリの間には頚部が設けられ、スライドレールの主体はスライダーの頚部を挿入する開口部を備え、この開口部からスライドレールの深くまで延伸された位置決め溝が形成され、且つ、少なくとも位置決め溝の片側の壁面上に頚部に対して嵌合作用を形成する複数の突起部が設けられ、頚部が２つの突起部の間の位置に固定され、これにより効果的にアクセサリを調整後の位置に固定することができ、スライドレールの開口部を利用してアクセサリのスライダーを出し入れすることができるため、アクセサリの着脱を容易に行うという目的を達することができ、これらアクセサリを使用しないときは、固定部材上で収納することができる完全な設計である。        
【考案の効果】
【０００８】
本考案によれば、スライドレールを利用してアクセサリの着脱、前後位置移動または交換を便利に行うことができ、且つ効果的にアクセサリを調整後の位置に固定でき、またアクセサリを使用しないときは帽子上に設けられた固定部材に固定しておくことができる。
【考案を実施するための最良の形態】
【０００９】
以下、審査官各位に本考案の構造と全体の動作方式についてより理解していただくため、以下、図面に基づき説明する。
【００１０】
本考案は主に、図１に示すように、効果的にゴーグル等のアクセサリ２０を帽子１０のブリム１１箇所に固定し、且つアクセサリ２０の相対的位置を調整することができ、また使用者によるアクセサリ２０の着脱、移動または交換が便利な装着具を提供する。
【００１１】
同時に図２及び図３に示すように、全体の装着構造は基本的に、ブリム１１箇所に固定されたスライドレール３１と、アクセサリ２０上に対応して設けられたスライダー３２及びヒンジ部材３３を含む。
【００１２】
そのうち、スライダー３２とアクセサリ２０の間には頚部３２１が設けられ、スライドレール３１はその主体にスライダー３２の頚部３２１を挿入するための開口部３１１が設けられ、開口部３１１からスライドレール３１の深くまで延伸された位置決め溝３１２が形成され、且つ、少なくとも位置決め溝３１２の片側の壁面上に頚部３２に対して嵌合作用を形成する複数の突起部３１３が設けられる。
【００１３】
アクセサリ２０を取り付けるときは、スライドレール３１の開口部３１１からアクセサリ２０上のスライダー３２をスライドレール３１主体の中に挿入し、スライドレール３１のスライダー３２に対する規制作用でアクセサリ２０と帽子１０をしっかりと結合することができ、且つ、アクセサリ２０をスライドレール３１に沿ってスライドさせ、アクセサリ２０を適切な位置に調整することができる。特に、アクセサリ２０をスライドレール３１に沿って適切な位置までスライドさせ停めると、スライダー３２の頚部３２１がその位置の２つの突起部３１３の間に固定され、効果的にアクセサリ２０を調整後の位置に固定することができる。ヒンジ部材３３の作用は、使用者がアクセサリ２０（ゴーグル）の角度を調整できるようにする。
【００１４】
当然、スライドレール３１の開口部３１１を逆方向に利用し、アクセサリ２０のスライダー３２をスライドレール３１から外すと、アクセサリ２０と帽子１０を完全に分離することができ、スライドレール３１の開口部３１１の設計により、使用者は迅速にアクセサリ２０の着脱または交換を行うことができる。
【００１５】
具体的な実施時において、スライドレールの製造に用いる材料は熱可塑性プラスチック材とするとよく、且つ、直接帽子のブリムと一体加工成形することができ、または図４に示すように、スライドレール３１の主体両側にブリム１０と結合させる取付け部３１４を設け、超音波溶接、接着、縫合等の方式でスライドレール３１を帽子１０のブリム１１箇所に固定してもよく、これにより、スライドレール３１に構造安定性と構造強度を維持させ、スライダー３２を挿入して確実に一定の固定効果を形成し、使用者の活動時に発生する揺動に耐えることができる。
【００１６】
図１から図４に開示した実施例において、帽子１０に組み合わせて使用するアクセサリ２０は使用者の両目に対して強い光を遮蔽したり、砂埃を防いだりする防護作用を備えたゴーグルとすることができ、さらに度数を有する光学レンズとすることもできる。当然、アクセサリは使用者が実際に従事する活動のニーズに合わせて交換することができる。例えば帽子１０と組み合わせて使用するゴーグルのアクセサリ２０は、図５に示すような照明器具２１とすることもでき、照明器具２１類のアクセサリと帽子１０を相互に結合させることで、使用者が夜間または薄暗い環境で活動するときの利便性を向上し、人身の安全を確保することができ、特に前端部に制御スイッチと調整機能を設けるとよい。
【００１７】
さらに、図６及び図７に示すように、上述のアクセサリ２０、２１を使用する帽子１０は、スライドレールが設置された場所以外の部位に、別途アクセサリ２０、２１を固定するための少なくとも１つの固定部材１２を備え、この固定部材１２はブリム１１上方の使用者の額に相対する部位に設けた弾性ベルト及び帽子１０後方の調節ベルト部位に設けた弾性ベルトとすることができ、上述のアクセサリ２０、２１を帽子のスライドレールに取り付けて使用しないときは、ブリム１１上方の固定部材１２を利用してゴーグル類のアクセサリ２０を固定したり（図６参照）、帽子１０後方の固定部材１２を利用して照明器具類のアクセサリ２１を固定したり（図７参照）することができ、使用者が同時に異なる機能のアクセサリ２０、２１・・・を携帯するのに便利である。
【００１８】
図８及び図９に示すように、アクセサリの照明器具２１の後端部には通し穴２１１及び通しひも２１２を設けることができ、これにより照明器具２１を取り外したときの携帯をより便利にすることができる。
【００１９】
上述のように、本考案は帽子とアクセサリ間のより優れた装着構造を提供するものであり、法に従い実用新案登録を出願するものである。以上の実施例の説明及び図面は、本考案の最良の実施例に基づくものであり、本考案を制限するものではなく、本考案の構造、装置、特徴等と近似した、または同様のものはすべて、本考案の創作の目的及び請求の範囲に含まれるものとする。
【図面の簡単な説明】
【００２０】
【図１】本考案を応用した帽子及びアクセサリの使用状態を示す立体図である。
【図２】本考案の装着構造の立体外観図である。
【図３】本考案のスライダーの断面図である。
【図４】本考案のスライドレールとスライダーの立体分解図である。
【図５】本考案の別のアクセサリの使用状態を示す立体図である。
【図６】本考案の実施例２の帽子とアクセサリの使用状態を示す立体図である。
【図７】本考案の実施例２の帽子と別のアクセサリの使用状態を示す立体図である。
【図８】本考案を応用した照明器具アクセサリの立体外観図である。
【図９】本考案を応用した照明器具アクセサリの使用状態を示す立体図である。
【符号の説明】
【００２１】
１０      帽子
１１      ブリム
１２      固定部材
２０      アクセサリ（ゴーグル）
２１１    通し穴
２１２    通しひも
２１      照明器具
３１      スライドレール
３１２    位置決め溝
３１３    突起部
３１４    取付け部
３２      スライダー
３２１    頚部
３３      ヒンジ部材
３１１    開口部    
【図１】
0003139383.tif 000003
【図２】
0003139383.tif 000004
【図３】
0003139383.tif 000005
【図４】
0003139383.tif 000006
【図５】
0003139383.tif 000007
【図６】
0003139383.tif 000008
【図７】
0003139383.tif 000009
【図８】
0003139383.tif 000010
【図９】
0003139383.tif 000011